(57)【要約】【課題】地震発生時の昇降機復旧作業において、復旧作業を効率良く実施でき、リアルタイムに復旧状況を把握できる広域災害復旧支援システムの提供。【解決手段】地震発生時に、監視端末装置３が記憶する昇降機の運転状態を収集する監視センター装置４が、監視端末装置３の監視コードを記憶する顧客情報記憶部４２ａと、昇降機の運転状態を記憶する監視情報記憶部４２ｃと、復旧作業実施時に顧客ビル内に設置された１台の昇降機を監視する監視端末装置３が発信する点検信号を受信し、点検信号に含まれる監視コードに基づいて、顧客情報記憶部４２ａに記憶されるデータを検索して、顧客ビル内に設置された昇降機に設けられた監視端末装置３の監視コードを抽出し、抽出した監視コードが付与された監視端末装置３から復旧作業の実施後における昇降機の運転状態を収集し、監視情報記憶部４２ｃの運転状態を更新する制御部４１とを備える。【選択図】図１
2011201621.tif 000002
【特許請求の範囲】
【請求項１】
顧客ビル内に設置される複数の昇降機のそれぞれに設けられ、前記複数の昇降機の運転状態を監視して記憶する複数の監視端末装置と、
地震発生時に、前記複数の監視端末装置が記憶する前記複数の昇降機の前記運転状態を、一般回線を介して収集する監視センター装置と、
を備える広域災害復旧支援システムにおいて、
前記監視センター装置は、
前記複数の監視端末装置のそれぞれに付与される、各監視端末装置を識別するための監視コードを記憶する顧客情報記憶部と、
収集された前記昇降機の運転状態を記憶する監視情報記憶部と、
前記顧客ビル内に設置された複数台の昇降機の内の１台の昇降機を監視する前記監視端末装置が発信する復旧作業を実施したことを示す点検信号を受信すると、前記点検信号に含まれる、前記１台の昇降機の監視端末装置に付与された監視コードに基づいて、前記顧客情報記憶部に記憶されるデータを検索して、前記顧客ビル内に設置された昇降機に設けられた監視端末装置に付与された監視コードを抽出し、抽出した監視コードを付与された監視端末装置から前記復旧作業の実施後における昇降機の運転状態を前記一般回線を介して収集し、収集された前記運転状態に、前記監視情報記憶部に記憶された運転状態データを更新する制御部と、
を備えることを特徴とする広域災害復旧支援システム。
【請求項２】
複数の顧客ビルの各々に設置される昇降機に設けられ、前記昇降機の運転状態を監視して記憶する監視端末装置と、
地震発生時に、前記監視端末装置が記憶する前記昇降機の運転状態を、一般回線を介して収集する監視センター装置と、
を備える広域災害復旧支援システムにおいて、
前記監視センター装置は、
前記複数の顧客ビルの各々に設置される前記昇降機に設けられる前記監視端末装置に付与される、前記監視端末装置を識別するための監視コードを記憶する顧客情報記憶部と、
収集された前記昇降機の運転状態を記憶する監視情報記憶部と、
前記複数の顧客ビルの内、復旧作業が実施された顧客ビルに設置される一の昇降機を監視する監視端末装置が発信する、復旧作業を実施したことを示す点検信号を受信すると、前記点検信号に含まれる、前記一の昇降機の前記監視端末装置に付与された監視コードに基づいて、前記顧客情報記憶部に記憶されるデータを検索して、前記復旧作業が実施された顧客ビルに設置される昇降機の台数を判定し、判定された前記台数が１台の場合、前記点検信号に基づいて、前記監視情報記憶部に記憶された運転状態データを更新して復旧登録し、判定された前記台数が２台以上の場合、前記点検信号に含まれる前記一の昇降機の監視端末装置に付与された前記監視コードに基づいて、前記顧客情報記憶部に記憶されるデータを検索して、前記復旧作業が実施された顧客ビル内に設置された昇降機に設けられた監視端末装置に付与された監視コードを抽出し、抽出した監視コードを付与された監視端末装置から前記復旧作業の実施後における昇降機の運転状態を前記一般回線を介して収集し、収集された前記運転状態に、前記監視情報記憶部に記憶された運転状態データを更新して復旧登録する制御部と、
を備えることを特徴とする広域災害復旧支援システム。
【発明の詳細な説明】
【技術分野】
【０００１】
本発明は、広域災害復旧支援システムに係り、特に昇降機の地震時復旧作業に好適な広域災害復旧支援システムに関する。
【背景技術】
【０００２】
一般に、地震が発生した場合、被災地域に複数設定された代表監視端末装置が地震感知器作動を検出し、これを監視センター装置に通知することにより、監視センター装置にて被災地域を特定する。監視センター装置は、特定された被災地域に設置される全ての監視端末装置に一般回線を介して接続し、エレベーターやエスカレーター等の昇降機の運転状態を収集し、収集した昇降機の運転状態に加え、ビル用途等によって優先順位を決定して巡回リストを作成する。ここで、巡回リストは、被災地域にある営業所等の保全作業員の出動拠点に備えられた入力端末装置や、保全作業員が携帯する保全用携帯端末装置にて確認が可能である。これにより、被災地域にある営業所等の出動拠点で待機している保全作業員に地震管制運転が完了して休止中にある昇降機を連絡するか、または保全作業員が携帯する保全用携帯端末装置により輻輳規制に関わらない通信網を介して、巡回リスト、および昇降機の運転状態を確認しながら復旧作業を行い、復旧が完了したか否かを登録することで、復旧進捗状況が管理される。
【０００３】
従来、昇降機の復旧作業が完了した場合、保全作業員は営業所等の出動拠点の受電対応者へ連絡し、受電対応者が営業所等の出動拠点に備えられた入力端末装置を用いて完了登録を行っている。また、営業所等の出動拠点での受電対応者の数を上回る復旧連絡がなされた場合には、保全作業員が復旧連絡できなくなるため、予め昇降機毎に付与される管理番号、および監視センター装置に接続を行う際の識別アドレスを符号化したコードを記載したステッカーを昇降機に貼り付けておき、保全作業員が携帯する保全用携帯端末装置によって、コードの読み取りと解析を行って、監視センターに復旧完了の登録を行う技術が提案されている（例えば、特許文献１参照）。
【先行技術文献】
【特許文献】
【０００４】
【特許文献１】特開２００７−１３１３７０号公報
【発明の概要】
【発明が解決しようとする課題】
【０００５】
しかしながら、新しく納入されて稼働する昇降機へのステッカー貼付け作業が増加する中で、ステッカーの貼り忘れが発生したり、顧客事情によりステッカーの貼り付けができない場合等はコードを読み取ることができないので、復旧完了の登録を行うことができない等の問題がある。
【０００６】
本発明は、このような従来技術の実情からなされたもので、その目的は、地震発生時の昇降機復旧作業において、被災地域の昇降機の復旧状況を短時間で効率良く把握できる広域災害復旧支援システムを提供することにある。
【課題を解決するための手段】
【０００７】
上記の目的を達成するために、本発明の広域災害復旧支援システムは、顧客ビル内に設置される複数の昇降機のそれぞれに設けられ、前記複数の昇降機の運転状態を監視して記憶する複数の監視端末装置と、地震発生時に、前記複数の監視端末装置が記憶する前記複数の昇降機の前記運転状態を、一般回線を介して収集する監視センター装置と、を備える広域災害復旧支援システムにおいて、前記監視センター装置は、前記複数の監視端末装置のそれぞれに付与される、各監視端末装置を識別するための監視コードを記憶する顧客情報記憶部と、収集された前記昇降機の運転状態を記憶する監視情報記憶部と、前記顧客ビル内に設置された複数台の昇降機の内の１台の昇降機を監視する前記監視端末装置が発信する復旧作業を実施したことを示す点検信号を受信すると、前記点検信号に含まれる、前記１台の昇降機の監視端末装置に付与された監視コードに基づいて、前記顧客情報記憶部に記憶されるデータを検索して、前記顧客ビル内に設置された昇降機に設けられた監視端末装置に付与された監視コードを抽出し、抽出した監視コードを付与された監視端末装置から前記復旧作業の実施後における昇降機の運転状態を前記一般回線を介して収集し、収集された前記運転状態に、前記監視情報記憶部に記憶された運転状態データを更新する制御部と、を備えることを特徴としている。
【０００８】
また、本発明に係る広域災害復旧支援システムは、複数の顧客ビルの各々に設置される昇降機に設けられ、前記昇降機の運転状態を監視して記憶する監視端末装置と、地震発生時に、前記監視端末装置が記憶する前記昇降機の運転状態を、一般回線を介して収集する監視センター装置と、を備える広域災害復旧支援システムにおいて、前記監視センター装置は、前記複数の顧客ビルの各々に設置される前記昇降機に設けられる前記監視端末装置に付与される、前記監視端末装置を識別するための監視コードを記憶する顧客情報記憶部と、収集された前記昇降機の運転状態を記憶する監視情報記憶部と、前記複数の顧客ビルの内、復旧作業が実施された顧客ビルに設置される一の昇降機を監視する監視端末装置が発信する、復旧作業を実施したことを示す点検信号を受信すると、前記点検信号に含まれる、前記一の昇降機の前記監視端末装置に付与された監視コードに基づいて、前記顧客情報記憶部に記憶されるデータを検索して、前記復旧作業が実施された顧客ビルに設置される昇降機の台数を判定し、判定された前記台数が１台の場合、前記点検信号に基づいて、前記監視情報記憶部に記憶された運転状態データを更新して復旧登録し、判定された前記台数が２台以上の場合、前記点検信号に含まれる前記一の昇降機の監視端末装置に付与された前記監視コードに基づいて、前記顧客情報記憶部に記憶されるデータを検索して、前記復旧作業が実施された顧客ビル内に設置された昇降機に設けられた監視端末装置に付与された監視コードを抽出し、抽出した監視コードを付与された監視端末装置から前記復旧作業の実施後における昇降機の運転状態を前記一般回線を介して収集し、収集された前記運転状態に、前記監視情報記憶部に記憶された運転状態データを更新して復旧登録する制御部と、を備えることを特徴としている。
【発明の効果】
【０００９】
本発明の広域災害復旧支援システムは、地震発生時の昇降機復旧作業の完了登録を正確、かつ迅速に行うことができ、リアルタイムに進捗管理が可能となる。特に、建物に複数の昇降機が設置されている場合に、１台だけ点検操作を実施すれば、該当する建物に設置されている全ての昇降機の運転状態を収集することができるため、復旧完了登録の手間を省くことができる。
【図面の簡単な説明】
【００１０】
【図１】本発明に係る広域災害復旧支援システムの一実施形態の構成を示す図である。
【図２】図１に示す本実施形態に備えられる顧客情報記憶部に記憶されるデータ構成の一例を示す図である。
【図３】図１に示す本実施形態に備えられる点検信号記憶部のデータ構成の一例を示す図である。
【図４】図１に示す本実施形態に備えられる監視情報記憶部のデータ構成の一例を示す図である。
【図５】図１に示す本実施形態に備えられる巡回リスト記憶部のデータ構成の一例を示す図である。
【図６】本実施形態の動作を示すフローチャートである。
【発明を実施するための形態】
【００１１】
以下、本発明に係る広域災害復旧支援システムを実施するための形態を図に基づいて説明する。
【００１２】
本発明に係る広域災害復旧支援システムの一実施形態は、簡単のために、一つの顧客ビルに設置される一台の昇降機を示すが、顧客ビル内に複数台の昇降機が設置されていても良い。また、本実施形態は、複数の顧客ビルの各々に一台または複数台の昇降機が設置されている場合にも、適用できる。これらの場合、後述の図１に示す監視端末装置３は昇降機毎に設けられ、地震感知器１は顧客ビル毎に設けられる。
【００１３】
本実施形態では、図１に示すように、１は地震感知器、２は昇降機制御装置、３は監視端末装置であり、昇降機を備える顧客ビル内に設置される。ここで、地震感知器１は、昇降機を有する建物に付設され、予め設定された一定以上の縦揺れ及び横揺れを感知すると縦揺れ及び横揺れによる地震感知信号を出力する。昇降機制御装置２は、通常運転状態の昇降機を、地震感知信号の種類に応じて、走行中の昇降機を最寄階へ所定時間停止させたり、運転休止状態にしたりする。４は監視端末装置３と一般回線６を介して接続され、監視端末装置３から送信された昇降機の異常信号や点検信号を受信し、また昇降機の運転状態を収集して管理する監視センター装置である。監視センター装置４は、顧客ビルとは地理的に離れた監視センタービル内に設置され、一般回線６を介して昇降機を遠隔的に監視する。
【００１４】
５は監視センター装置４と社内ネットワーク７を介して接続されると共に、営業所等の保全作業員の出動拠点に備えられ、監視センター装置４で管理される情報の表示、また顧客の住所や昇降機監視仕様等の顧客の管理情報や監視端末装置３から受信した異常信号に対する復旧作業等の対応情報を入力する入力端末装置である。８は監視センター装置４と輻輳規制に関わらない通信網９を介して接続され、監視センター装置４で管理される情報の表示、また顧客の住所や昇降機監視仕様等の顧客の管理情報や監視端末装置３から受信した異常信号に対する復旧作業等の対応情報を入力する保全用携帯端末装置である。
【００１５】
２１は昇降機制御装置２の制御部、２２は昇降機制御装置２の記憶部、３１は監視端末装置３の制御部、３２は監視端末装置３の記憶部、３３は監視端末装置３の通信部、４１は収集した昇降機の運転状態とビル用途等によって優先順位を決定して巡回リストを作成する監視センター装置４の制御部、４２は監視センター装置４の記憶部である。
【００１６】
監視センター装置４の記憶部４２において、４２ａは顧客の名称、建物用途、監視端末装置３の電話番号、どの地域に設置されている昇降機かを判断するための地域コード等の顧客情報を記憶する顧客情報記憶部、４２ｂは監視端末装置３から通知された昇降機の点検信号を記憶する点検信号記憶部、４２ｃは監視端末装置３から通知された昇降機の異常信号や異常復旧信号等の監視情報を記憶する監視情報記憶部、４２ｄは昇降機の運転状態と優先順位から決定された巡回リストを記憶する巡回リスト記憶部である。
【００１７】
監視センター装置４において、４３ａは監視センター装置４と監視端末装置３間のデータ通信を行う通信部、４３ｂは監視センター装置４と入力端末装置５間のデータ通信を行う通信部、４３ｃは監視センター装置４と保全用携帯端末装置８間のデータ通信を行う通信部、４４は監視センター装置４の表示部、４５は監視センター装置４の入力部である。さらに、５１は入力端末装置５の制御部、５２は入力端末装置５と監視センター装置４間のデータ通信を行う通信部、５３は入力端末装置５の表示部、５４は入力端末装置５の入力部、８１は保全用携帯端末装置８の制御部、８２は保全用携帯端末装置８と監視センター装置４間のデータ通信を行う通信部、８３は保全用携帯端末装置８の表示部、８４は保全用携帯端末装置８の入力部である。なお、各制御部としては、マイクロコンピュータ等の演算処理装置が適用される。また、各記憶部としては、半導体メモリや磁気記憶装置等の記憶装置が適用され、通信部としては、通信制御回路等の通信制御装置が適用される。
【００１８】
昇降機制御装置２の制御部２１は、常時あるいは継続的に昇降機の運転状態を監視し、閉じ込めや停電等の故障状態を検出して、検出結果を運転状態データとして記憶部２２に記憶する。そして、制御部２１は、記憶された検出結果を監視端末装置３の制御部３１に送信し、制御部３１は受信した検出結果を運転状態データとして記憶部３２に記憶する。さらに、制御部３１は、監視センター装置４から指令信号を受信すると、通信部３３を制御して、記憶された運転状態データを、一般回線６を介して監視センター装置４に送信する。
【００１９】
また、昇降機制御装置２の制御部２１は、地震発生時に、地震感知器１の作動通知を監視端末装置３の制御部３１に送信する。制御部３１は、通信部３３を制御して、受信した作動通知を一般回線６を介して監視センター装置４へ送信する。監視センター装置４では、通信部４３ａにおいて地震感知器１の作動通知を受信すると、制御部４１が、通信部４３ａを制御して、監視端末装置３の記憶部３２に記憶された運転状態データを読み出すための指令信号を一般回線６を介して監視端末装置３へ送信する。監視端末装置３においては、通信部３３で指令信号を受信すると、制御部３１が記憶部３２に記憶されている昇降機の運転状態データを読み出す。制御部３１は、読み出した運転状態データを、通信部３３を制御して一般回線６を介して監視センター装置４へ送信する。
【００２０】
監視センター装置４では、通信部４３ａにおいて運転状態データを受信すると、制御部４１が、受信した運転状態データを、記憶部４２における監視情報記憶部４２ｃに、後述する監視情報データ（図４）として記憶する。さらに、制御部４１は、監視情報記憶部４２ｃに記憶された監視情報データや、後述する顧客情報データ（図２）における建物用途（例えば「病院」）に基づいて、復旧作業の優先順位を算出して後述する巡回リスト（図５）を作成する。この巡回リストデータは、制御部４１によって、記憶部４２における巡回リスト記憶部４２ｄに記憶される。そして、制御部４１は、記憶された巡回リストデータを、通信部４３ｂを制御し、社内ネットワーク７を介して保全作業員の出動拠点に備えられる入力端末装置５に送信すると共に、通信部４３ｃを制御して保全用携帯端末装置８に送信する。送信された巡回リストに従って、保全作業員は昇降機の復旧作業を実施する。
【００２１】
次に、本実施形態による被災地域の昇降機運転状態の管理について述べるが、まず図１に示す監視センター装置４の記憶部４２に記憶されるデータの構成について説明する。
【００２２】
図２は図１に示す本実施形態に備えられる顧客情報記憶部に記憶されるデータ構成の一例を示す図、図３は図１に示す本実施形態に備えられる点検信号記憶部のデータ構成の一例を示す図、図４は図１に示す本実施形態に備えられる監視情報記憶部のデータ構成の一例を示す図、図５は図１に示す本実施形態に備えられる巡回リスト記憶部のデータ構成の一例を示す図である。
【００２３】
図２に示すように、顧客情報４２ａ１は、顧客を管理する管理番号４２ａ２と、顧客名４２ａ３と、建物用途４２ａ４と、顧客がどの地域に在るかを判断するための地域コード４２ａ５と、監視端末装置３毎に付与される監視コード４２ａ６と、顧客住所４２ａ７と、監視端末装置３の電話番号４２ａ８とから構成されている。
【００２４】
図３に示すように、点検信号は、保全作業員が、復旧作業完了時に監視センターに対し復旧登録するために、監視端末装置３等を操作して監視センター装置４へ送信される。点検信号データ４２ｂ１は、顧客を管理する管理番号４２ｂ２と、顧客名４２ｂ３と、その顧客がどの地域に在るかを判断するための地域コード４２ｂ４と、監視端末装置毎に付与される監視コード４２ｂ５と、点検信号が通知された日時４２ｂ６と、通知された点検信号名称４２ｂ７とから構成される。点検信号は、監視端末装置の監視コードと点検信号名称を含む。この場合、点検信号の監視コードに基づき、顧客情報記憶部４２ａに記憶された顧客情報４２ａ１を参照して特定される、管理番号４２ａ２、顧客名４２ａ３、地域コード４２ａ５がそれぞれ管理番号４２ｂ２、顧客名４２ｂ３、地域コード４２ｂ４として点検信号記憶部４２ｂに記憶される。なお、点検信号が、監視コードと点検信号名称の他に、管理番号、顧客名、地域コードを含んでいても良い。この場合は、点検信号に含まれる管理番号、顧客名、地域コード、監視コード、信号名称がそれぞれ管理番号４２ｂ２、顧客名４２ｂ３、地域コード４２ｂ４、監視コード４２ｂ５、点検信号名称４２ｂ７として点検信号記憶部４２ｂに記憶される。
【００２５】
図４に示すように、監視情報４２ｃ１は、顧客を管理する管理番号４２ｃ２と、顧客名４２ｃ３と、顧客がどの地域に在るかを判断するための地域コード４２ｃ４と、前述したように監視センター装置４が地震感知器１の作動通知を受信後に監視端末装置３から昇降機の運転状態を読み出すことが完了したか否かを管理する状態読み出し４２ｃ５と、読み出した運転状態データを管理する運転状態４２ｃ６と、監視端末装置３から受信した、閉じ込めや停電に関して通知されたりタイマー動作から所定時間経過によって通知されたりする通報情報４２ｃ７と、通報情報４２ｃ７を受信した時刻を示す受信時刻４２ｃ８と、異常な状態が復旧した時刻を示す復旧時刻４２ｃ９とから構成される。
【００２６】
また、図５に示すように、巡回リスト４２ｄ１は、作業の優先順序を示す作業ランク４２ｄ２と、同じ作業ランクの中での順番を示す作業順序４２ｄ３と、顧客を管理する管理番号４２ｄ４と、顧客名４２ｄ５と、顧客住所４２ｄ６と、監視端末装置３から受信した閉じ込めや地震計動作等の異常信号名称４２ｄ７と、異常信号を受信した時刻を示す異常受信時刻４２ｄ８と、点検信号を受信した時刻を示す点検受信時刻４２ｄ９と、復旧した時刻を示す復旧時刻４２ｄ１０とから構成される。
【００２７】
次に、本実施形態の動作を説明する。
【００２８】
図６は本実施形態の動作を示すフローチャートであり、図６に示す破線１−１で囲まれたフローチャートは保全作業員の復旧作業フローの一例である。また、図６に示す破線１−２で囲まれたフローは監視センター装置４の処理フローの一例である。
【００２９】
まず、地震等の広域災害が発生した場合、保全作業員は図５に示したように巡回リスト４２ｄ１に従って昇降機が停止している顧客ビルに出動する。現地到着後に入館許可等を得て建物内に入り（ステップ２）、建物の被害状況を確認する（ステップ３）。建物がひどく損傷していなければ、昇降機の停止状態やピット内の確認を行う（ステップ４）。昇降機やピット内に障害が認められない場合、昇降機を低速運転に切り替えて、低速運転を実施する（ステップ５）。低速運転が正常に行える状態であることを確認した後、地震感知器１をリセットして復帰状態とし（ステップ６）、昇降機１台の復旧作業を完了する。ここで、建物内にまだ復旧していない昇降機がある場合はステップ２から１台目と同様に作業を実施する（ステップ７）。
【００３０】
建物内の全ての昇降機に対して復旧作業完了となった場合、保全作業員は、いずれか１台の昇降機にて点検操作を実施し、監視センター装置４に点検信号を通知する（ステップ８）。点検操作としては、乗りかご内の操作盤等に設けられた非常呼び出し用ボタンの押し下げや、保守作業員が携帯する携帯端末装置８や監視端末装置３の操作が適用できる。これらの点検操作により監視端末装置３の制御部３１が点検信号送信指令を受けると、制御部３１は、通信部３３を制御して、一般回線６を介して図３で説明したような点検信号を監視センター装置４へ送信する。点検操作完了後、次に巡回する顧客ビルがある場合、保守作業員は次の顧客ビルに移動する（ステップ９，１０）。
【００３１】
監視センター装置４では、通信部４３ａにおいて点検信号を受信すると（ステップ１１）、制御部４１は、点検信号データ４２ｂ１を点検信号記憶部４２ｂに記憶すると共に、図示されない広域災害情報に基づいて現在広域災害発生中か否かを判定する（ステップ１２）。ここで、広域災害情報は、各種専門機関（気象庁や自治体等）から発信され、一般回線６を介して監視センター装置４によって受信され、記憶部４２の図示されない記憶領域に記憶される。制御部４１は、この記憶領域を検索して、広域災害情報の有無によって広域災害発生中か否かを判定する。
【００３２】
広域災害発生中であると判定した場合に、監視センター装置４は、通知された点検信号と顧客情報等から、被災地域の顧客ビルに設置されている昇降機の監視端末装置３からの信号か否かを判断する（ステップ１３）。具体的には、制御部４１が、顧客情報記憶部４２ａに記憶されている顧客情報を検索して、点検信号記憶部４２ｂに記憶されている点検信号データに含まれる監視コードに対応する地域コードを抽出する。さらに、制御部４１は、抽出された地域コードの示す顧客ビルの所在地域が、図示されない記憶領域に記憶される広域災害情報が示す被災地域に含まれているか否かを判定することによって、被災地域の顧客ビルに設置されている昇降機からの信号か否かを判断する（ステップ１３）。
【００３３】
被災地域の顧客ビルに設置されている昇降機から送信された点検信号であると判断されていた場合、監視センター装置４の制御部４１は、顧客情報を検索して建物内に設置されている昇降機が何台あるかを算出する（ステップ１４）。ここで、制御部４１は、顧客情報を検索して、点検信号記憶部４２ｂに記憶されている点検信号データに含まれる監視コードに対応する顧客名を判定する。さらに、制御部４１は、判定された顧客名と同じ顧客名を、顧客情報を検索して抽出し、抽出された個数と点検信号に対応する昇降機１台との和により昇降機台数を算出する。
【００３４】
制御部４１は、算出された昇降機台数により、顧客ビルに設置されている昇降機が１台であるか、あるいは１台でないか、すなわち２台以上かを判定する（ステップ１５）。顧客ビルに昇降機が１台しかないと判定された場合は、点検信号を受信していることで復旧と判断し、復旧完了登録を行う（ステップ１６）。すなわち、監視センター装置４の制御部４１は、点検信号記憶部４２ｂに記憶されている点検信号データを参照し、点検信号データ中の点検信号受信日時を抽出し、抽出された点検信号受信日時を監視情報４２ｃ１における復旧時刻４２ｃ９として監視情報記憶部４２ｃに記憶すると共に、巡回リストデータ４２ｄ１中の復旧時刻４２ｄ１０として巡回リスト記憶部４２ｄに記憶する。また、制御部４１は、監視情報４２ｃ１における運転状態４２ｃ６を復旧完了あるいは正常を示すデータに書き換える。
【００３５】
また、ステップ１５において、建物内に昇降機が２台以上設置されていると判定された場合、監視センター装置４は、一般回線６を介して監視端末装置３から、正常に復旧した昇降機の運転状態（正常）を収集し（ステップ１７）、これを最新の運転状態として監視情報記憶部４２ｃに登録し、監視情報データを更新する（ステップ１８）。
【００３６】
ここで、監視センター装置４において、制御部４１が、通信部４３ａを制御して、監視端末装置３の記憶部３２に記憶された運転状態データを読み出すための指令信号を一般回線６を介して監視端末装置３へ送信する。このとき、制御部４１は、ステップ１４において抽出された、点検信号記憶部４２ｂに記憶されている点検信号データに含まれる監視コードに対応する顧客名と同じ顧客名に対応する監視コードを有する監視端末装置３と、点検信号記憶部４２ｂに記憶されている点検信号データに含まれる監視コードを有する監視端末装置３とに対して指令信号を送信する。各監視端末装置３においては、通信部３３で指令信号を受信すると、制御部３１が記憶部３２に記憶されている昇降機の運転状態データを読み出す。制御部３１は、読み出した運転状態データを、通信部３３を制御して一般回線６を介して監視センター装置４へ送信する。
【００３７】
監視センター装置４では、通信部４３ａにおいて運転状態データを受信すると、制御部４１が、受信した運転状態データを、最新の運転状態として記憶部４２における監視情報記憶部４２ｃに記憶し、監視情報データを更新する。このとき、昇降機の復旧が完了していれば、監視情報記憶部４２ｃに記憶される監視情報４２ｃ１において、運転状態４２ｃ６が復旧完了あるいは正常を示すデータに更新されると共に、復旧時刻４２ｃ９が登録される。また、制御部４１は、巡回リスト記憶部４２ｄにおける対応する巡回リストデータにも復旧時刻４２ｄ１０を登録する。なお、収集した運転状態が異常の場合は、復旧完了とせずに運転状態を登録し、登録間違いが発生しないようにする。
【００３８】
なお、ステップ１５において顧客ビルの昇降機が一台のみと判定された場合においても、上述した２台以上の場合と同様に、監視端末装置３から、正常に復旧した昇降機の運転状態（正常）を収集し、これを最新の運転状態として監視情報記憶部４２ｃに登録し、監視情報データを更新しても良い。
【００３９】
本実施形態によれば、顧客ビルが複数台の昇降機を備える場合であっても、一台の昇降機について点検信号を発信すれば、複数台の昇降機の監視端末装置３から運転状態を読み出すことにより、全台数の復旧登録を行うことができる。このため、地震発生時に昇降機復旧作業完了登録の作業時間を低減し、かつ正確に復旧完了登録を行うことができる。また、復旧状況の進捗管理をリアルタイムに行うことができる。
【符号の説明】
【００４０】
１  地震感知器
２  昇降機制御装置
３  監視端末装置
４  監視センター装置
５  入力端末装置
６  一般回線
７  社内ネットワーク
８  保全用携帯端末装置
９  通信網
２１，３１，４１，５１，８１  制御部
２２，３２，４２  記憶部
４２ａ  顧客情報記憶部
４２ｂ  点検信号記憶部
４２ｃ  監視情報記憶部
４２ｄ  巡回リスト記憶部
３３，４３ａ，４３ｂ，４３ｃ，５２，８２  通信部
４４，５３，８３  表示部
４５，５４，８４  入力部
【図１】
2011201621.tif 000003
【図２】
2011201621.tif 000004
【図３】
2011201621.tif 000005
【図４】
2011201621.tif 000006
【図５】
2011201621.tif 000007
【図６】
2011201621.tif 000008